(57)【要約】      （修正有）【課題】従来よりも直径の小さな気泡を含む液体を製造することのできる微小気泡生成装置、水素水製造装置を提供する。【解決手段】微小気泡生成装置４０は、水素発生装置にて生成された水と水素ガスの混合被処理流体が流通する連結管３０の流入口４１ａ、及び処理後の被処理流体の流出口４１ｂを有する筒体４１と、筒体４１内における被処理流体の通路の内壁をなす外周面４２ａを有するロータ４２と、筒体４１における被処理流体の通路の外壁をなしロータの外周面４２ａと対向する内周面４３ａを有するステータ４３と、ロータ４２及びステータ４３を相対的に回転させるモータ４４と、ロータ４２の外周面４２ａ及びステータ４３の内周面４３ａの少なくとも一方に、周方向に周期的に形成される凹凸部と、を備え、筒体４１の流出口４１ｂから流出させる。【選択図】図２
0003150000.tif 000002
【実用新案登録請求の範囲】
【請求項１】
一端側から他端側へ被処理流体が流通する筒体と、
前記筒体内における前記被処理流体の流通方向へ伸び、前記被処理流体の通路の内壁をなす外周面を有する内側部材と、
前記筒体における前記被処理流体の流通方向へ延び、前記被処理流体の通路の外壁をなし前記内側部材の前記外周面と対向する内周面を有する外側部材と、
前記内側部材及び前記外側部材を前記流通方向を軸として相対的に回転させる回転部と、
少なくとも前記回転部で回動する、内側部材の前記外周面、または前記外側部材の前記内周面に、周方向に周期的に形成される凹凸部とを備え、
前記筒体の一端側から流入する気液混合被処理流体を、微小気泡を含む液体として前記筒体の他端側から流出させる微小気泡生成装置。
【請求項２】
前記筒体は、円筒形状であり、
前記内側部材は、前記筒体の軸を中心に回転可能なロータであり、
前記外側部材は、前記筒体の内面に固定されるステータであり、
前記回転部は、前記ロータを回転させるモータである請求項１に記載の微小気泡生成装置。
【請求項３】
前記凹凸部は、前記ロータの前記外周面と、前記ステータの内周面と、に形成される請求項２に記載の微小気泡生成装置
【請求項４】
前記ロータと一体的に設けられ、前記モータにより前記ロータとともに回転し、前記筒体内の前記被処理流体の流通を促進するファンを備えた請求項３に記載の微小気泡生成装置。
【請求項５】
水の一部を電気分解して水素ガスを発生させ、前記水素ガスと前記水の混合被処理流体を生成する水素発生装置と、
前記水素発生装置から前記水素ガスと前記水の混合被処理流体が供給され、水素水を生成する請求項４に記載の微小気泡生成装置と、を備えた水素水製造装置。
【考案の詳細な説明】
【技術分野】
【０００１】
本考案は、微小気泡生成装置に関し、特に水素水を製造する水素水製造装置に関する。
【背景技術】
【０００２】
水素水製造装置として、管体と、管体の一方の端部に形成され原料水を供給する原料水供給系と、管体に水密結合され原料水供給系から供給された原料水に対してほぼ直角に水素を供給する水素供給系と、管体内において前記水素供給系の下流に管体の長手方向に形成され原料水供給系から管体に供給された原料水と水素供給系から管体に供給された水素の混合流体を拡散させるための拡散室と、拡散室に充填され所定の孔径を有し供給された水素を微細気泡として通過させるための多孔質要素と、管体の他方の端部に形成され製造された加水素水を排出する排出口とを備えている水素を微細気泡として大量に含んだ加水素水の製造装置が提案されている（例えば、特許文献１参照）。
【先行技術文献】
【特許文献】
【０００３】
【特許文献１】特開２００７−２３７１６１号公報
【考案の概要】
【考案が解決しようとする課題】
【０００４】
しかしながら、特許文献１に記載の水素水製造装置では、特許文献１に記載されているように、製造される水素水における水素ガスの気泡の直径は、２μｍ程度が限界となる。水素ガスの気泡の直径は小さければ小さいほど水素水の特性が向上するため、さらなる気泡の小型化がのぞまれている。
本考案は前記事情に鑑みてなされたものであり、その目的とするところは、従来よりも直径の小さな気泡を含む液体を製造することのできる微小気泡生成装置、水素水製造装置及び水素水製造装置方法を提供することにある。
【課題を解決するための手段】
【０００５】
本考案によれば、一端側から他端側へ被処理流体が流通する筒体と、前記筒体内における前記被処理流体の流通方向へ伸び、前記被処理流体の通路の内壁をなす外周面を有する内側部材と、前記筒体における前記被処理流体の流通方向へ延び、前記被処理流体の通路の外壁をなし前記内側部材の前記外周面と対向する内周面を有する外側部材と、前記内側部材及び前記外側部材を前記流通方向を軸として相対的に回転させる回転部と、少なくとも前記回転部で回動する、内側部材の前記外周面、または前記外側部材の前記内周面に、周方向に周期的に形成される凹凸部とを備え、周方向に周期的に形成される凹凸部とを備え、前記筒体の一端側から流入する気液混合被処理流体を、微小気泡を含む液体として前記筒体の他端側から流出させる微小気泡生成装置が提供される。
【０００６】
この微小気泡生成装置によれば、筒体の流入口から気液混合被処理流体が供給されると、気液混合被処理流体は内側部材と外側部材により形成される被処理流体通路へ流入する。ここで、被処理流体通路は、内側部材と外側部材の少なくとも一方に周期的な凹凸部が形成されていることから、相対的に回転させると凹凸部が周方向へ移動し、被処理流体通路内の被処理流体には周期的に圧縮及び開放の力が作用し、被処理流体が周期的に収縮及び膨張される。このとき、気体が微小気泡となって液体中に含有されることとなる。これにより、筒体内の気液混合被処理流体は、微小気泡を含む液体となり、筒体の流入口から流出する。
【０００７】
上記微小気泡生成装置において、前記筒体は、円筒形状であり、前記内側部材は、前記筒体の軸を中心に回転可能なロータであり、前記外側部材は、前記筒体の内面に固体されるステータであり、前記回転部は、前記ロータを回転させるモータであってもよい。
この微小気泡生成装置によれば、筒体を円筒形状とし、外側部材を筒体に固定するとともに内側部材を回転可能とし、内側部材がモータにより回転するようにしているので、装置の構成を比較的簡単にすることができる。
【０００８】
また、上記微小気泡生成装置において、前記凹凸部は、前記ロータの前記外周面と、前記ステータの内周面と、に形成されてもよい。
この微小気泡生成装置によれば、ロータ及びステータに凹凸部を形成したので、被処理流体通路の周方向の幅寸法変化を大きくすることができ、圧縮時及び開放時に被処理流体に加わる力を大きくすることができ、気泡の直径をさらに微小とすることができる。
【０００９】
また、上記微小気泡生成装置において、前記ロータと一体的に設けられ、前記モータにより前記ロータとともに回転し、前記筒体内の前記被処理流体の流通を促進するファンを備えてもよい。
この微小気泡生成装置によれば、ロータを駆動するモータによりファンが駆動するので筒体内にファンを設けても駆動部品点数が増大することはない。
【００１０】
また、本考案によれば、水の一部を電気分解して水素ガスを発生させ、前記水素ガスと前記水の混合被処理流体を生成する水素発生装置と、前記水素発生装置から前記水素ガスと前記水の混合被処理流体が供給され、水素水を生成する上記微小気泡生成装置と、を備えた水素水生成装置が提供される。
この水素水生成装置によれば、水素発生装置により水の一部を分解して水素ガスを発生させて水素水生成装置に供給させているので、水と水素ガスの供給ラインを別個にする必要がなく、水を原料として簡単容易に水素水を作成することができる。
【考案の効果】
【００１１】
本考案によれば、従来よりも直径の小さな気泡を含む液体を製造することができる。
【図面の簡単な説明】
【００１２】
【図１】本考案の一実施形態を示す水素水製造装置の概略一部断面説明図である
【図２】微小気泡生成装置の縦断面図である
【図３】図２のＡ−Ａ線断面図である
【図４】ロータの外観斜視図である。
【図５】ステータの外観斜視図である。
【図６】図２のＢ−Ｂ線断面図である
【図７】ファンの外観斜視図である。
【図８】微小気泡生成装置の一部分解斜視図である。
【考案を実施するための形態】
【００１３】
図１に示すように、この水素水製造装置１は、原料としての水が流通する供給管２０と、供給管２０から水が供給される水素発生装置２と、水素発生装置２にて生成された水と水素ガスの混合被処理流体が流通する連結管３０と、連結管３０からこの混合被処理流体が供給される微小気泡生成装置４０と、微小気泡生成装置４０にて生成された水素水が流通する流出管５０と、を備えている。本実施形態においては、供給管には、一般的に純水よりも電気分解し易い水道水が流通するようになっている。
【００１４】
水素発生装置２は、特に図示はしないが陰極と陽極が配置される電解槽を有し、供給管を通じて供給された水の一部を電気分解する。電解槽にて水の一部が電気分解されると、陰極にて水素ガスが発生し、陽極にて酸素ガスが発生する。本実施形態においては、電解槽の内部には、板状の陰極と板状の陽極が間隔を置いて互い違いに配置されている。
【００１５】
電解槽中にて発生した水素ガス及び酸素ガスは、一部が気泡として水に含まれる。気泡とならなかった酸素ガス及び酸素ガスを気泡として含む水は、電解槽から放出管を通じて外部へ排出される。そして、電解槽にて生成された水素ガス及び水素ガスを気泡として含む水は、気液混合被処理流体となって連結管３０へ流出する。
ここで、連結管３０へ流出する水には、気泡として水素ガスが含まれているので、水素水ということもできる。本明細書においては、水素ガスの気泡を含む水を「水素水」という。
【００１６】
微小気泡生成装置４０は、連結管３０から供給される水と水素ガスの混合被処理流体から、当該水素ガスの微小な気泡が含まれる水素水を生成する。ここでいう微小とは、水素発生装置にて生成される水素水の水素ガスの気泡よりも小さいことをいう。具体的には、数ｎｍから数十ｎｍのレベルの気泡が生成可能である。本実施形態においては、微小気泡生成装置４０は、排出水槽６０の内側に配置され、微小気泡生成装置４０にて生成された水素水は、一旦、排出水槽６０内に貯留されてから、流出管５０を通じて排出される。
【００１７】
図２に示すように、微小気泡生成装置４０は、上下に延び一端側から他端側へ被処理流体が流通する筒体４１と、筒体４１内にて上下方向へ延び被処理流体の通路の内壁をなす外周面４２ａを有するロータ４２と、筒体４１内にて上下方向へ延び被処理流体の通路の外壁をなす内周面４３ａを有するステータ４３と、ロータ４２を上下方向を軸として回転させるモータ４４と、を備えている。
筒体４１の上端は蓋部材４５により、筒体４１の下端は底部材４６により、それぞれ閉塞され、筒体４１は外部と気密になっている。また、微小気泡生成装置４０は、ロータ４２と一体的に設けられ、モータ４４によりロータ４２とともに回転し、筒体４１内の前記被処理流体の流通を促進するファン４７を備えている。
【００１８】
筒体４１は、円筒状に形成され、上部に混合被処理流体が流入する流入口４１ａと、下部に水素水が流出する流出口４１ｂと、を有している。すなわち、本実施形態においては、筒体４０の上端側から下端側へ被処理流体が流通する。流入口４１ａから流入した被処理流体は、内側部材としてのロータ４２及び外側部材としてのステータ４３の間隙を通じ、流出口４１ｂまで流通する。本実施形態においては、流入口４１ａは、筒体４１上部に１箇所形成され、流出口４１ｂは、筒体４１下部に周方向に並んで複数箇所形成されている。
【００１９】
ロータ４２は、上下に延びるシャフト部４４ａが形成され、シャフト部４４ａはモータ４４の駆動により回転するようになっている。シャフト部４４ａは、蓋部材４５を挿通し、底部材４６に回転自在に固定されている。また、シャフト部４４ａには、ロータ４２の下方にてファン４７が固定されている。
【００２０】
シャフト部４４ａの上端は、カップリング４４ｂにより歯車機構４４ｃと接続されている。すなわち、モータ４４からの出力は、歯車機構４４ｃ及びカップリング４４ｂを介してシャフト部４４ａに伝達される。カップリング４４ｂ、歯車機構４４ｃ及びモータ４４は、蓋部材４５に設けられるカバー４４ｄにより全体的に覆われている。
【００２１】
図３に示すように、ロータ４２の外周面４２ａは、周方向に周期的に形成される凹凸部４２ｂが形成される。本実施形態においては、凹凸部４２ｂは、径方向外側へ突出する凸部４２ｃが周方向へ等間隔に６箇所形成され、径方向内側へ凹む凹部４２ｄが各凸部４２ｃの間に各凸部４２ｃと連続的に形成されている。
【００２２】
図４に示すように、ステータ４３の内周面４３ａと対向する上下区間にわたって、凹凸部４２ｂが同一断面を呈している。すなわち、各凸部４２ｃは、上下へ延びる突条部ということもでき、各凹部４２ｄは、上下へ延びる溝部ということもできる。
【００２３】
また、ロータ４２は、凹凸部４２ｂの上端から情報へ向かって径方向内側へ傾斜する上端傾斜部４２ｅと、凹凸部４２ｂの下端から下方へ向かって径方向内側へ傾斜する下端傾斜部４２ｆと、を有している。上端傾斜部４２ｅと下端傾斜部４２ｆの近傍では、筒体４１内の被処理流体の通路が大きくなり、凹凸部４２ｎの上側及び下側にて被処理流体の流通が阻害されることはない。
【００２４】
図３に示すように、ステータ４３は、筒体４１の内面に固定され、内周面４３ａには周方向に周期的に形成される凹凸部４３ｂが形成される。本実施形態においては、凹凸部４３ｂは、径方向内側へ突出する凸部４３ｃが周方向へ等間隔に６箇所形成され、径方向外側へ凹む凹部４３ｄが各凸部４３ｃの間に各凸部４３ｃと連続的に形成されている。
【００２５】
図５に示すように、凹凸部４３ｂは、上下にわたって同一断面を呈している。すなわち、各凸部４３ｃは、上下へ延びる突条部ということもでき、各凹部４３ｄは、上下へ延びる溝部ということもできる。
【００２６】
本実施形態においては、ロータ４２とステータ４３により形成される被処理流体通路は、上下に６０ｍｍとなっており、最小の隙間は２ｍｍとなっている。そして、モータ４４を駆動してロータ４２を回転させると、最小の隙間の部分で被処理流体に一時的に５０００気圧程度の圧力を加えることができる。この隙間は小さいほうがよく、２．５ｍｍ以下とすることにより１５００気圧以上の圧力が被処理流体に加わることが確認されている。
【００２７】
図２に示すように、ファン４７は、シャフト部４４ａと連結される円板状の平板部４７ａと、平板部４７ａ上に形成され径方向へ延びる複数の羽根４７ｂと、を有している。本実施形態においては、各羽根４７ａは、筒体４１の流出口４１ｂと同じ高さに形成されている。また、図６に示すように、各羽根４７ａは、平板部４７ａの径方向外側に形成されている。また、図７に示すように、ファン４７は、平板部４７ａの中心が厚く形成され、シャフト部４４ａとの係合時にがたつかないようになっている。ファン４７がモータ４４の駆動により回転すると、筒体４１内の被処理流体が流出口４１ｂへ向けて移動される。
【００２８】
以上のように構成された水素水製造装置１の微小気泡生成装置４０によれば、筒体４１の流入口４１ａから気液混合被処理流体が供給されると、気液混合被処理流体はロータ４２とステータ４３により形成される被処理流体通路へ流入する。ここで、被処理流体通路は、ロータ４２とステータ４３に周期的な凹凸部４２ｂ、４３ｂがそれぞれ形成されていることから、周方向について幅寸法が変化している。そして、モータ４４を駆動してロータ４２をステータ４３に対して回転させると各凹凸部４２ｂ、４３ｂが相対的に周方向へ移動し、被処理流体通路内の被処理流体には周期的に圧縮及び開放の力が作用し、被処理流体が周期的に収縮及び膨張される。このとき、水素ガスが微小気泡となって水の中に含有されることとなる。これにより、筒体４１内の水素ガスと水の混合被処理流体は、水素ガスの微小気泡を含む水（水素水）となり、筒体４１の流出口４１ｂから流出する。流出する水素水には、１００ｎｍ以下の直径の気泡が含有されており、従来よりも直径の小さな気泡を含む水素水を製造することができる。
【００２９】
実際に本実施形態の微小気泡生成装置４０を作成し、水素水を製造したところ、得られた水素水中の水素ガスの気泡の直径は２０ｎｍ以下であり、１ｃｃ当たりの１５００万個以上の気泡が観測され、酸化還元電位は−８４０ｍＶであった。この水素水では、ナノレベルの気泡となった水素ガスが、水の隙間に入り込むため、長時間経過した後も水中に浮遊し続ける。従って、長時間経過し、水素ガスの浮力により、水と水素ガスが分離する水素水とは異なるものである。
【００３０】
また、本実施形態においては、ロータ４２及びステータ４３の両方に凹凸部４２ｂ、４３ｂを形成したので、被処理流体通路の周方向の幅寸法変化を大きくすることができる。これにより、圧縮時及び開放時に被処理流体に加わる力を大きくすることができ、気泡の微細化に効果的である。
【００３１】
また、本実施形態の微小気泡生成装置４０によれば、筒体４１を円筒形状とし、ステータ４３を筒体４１に固定するとともにロータ４２を回転可能とし、ロータ４２がモータ４４により回転するようにしているので、装置４０の構成を比較的簡単にすることができる。また、ロータ４２を駆動するモータ４４によりファン４７が駆動するので、筒体４１内にファン４７を設けても駆動部品点数が増大することはない。
【００３２】
また、本実施形態の水素水製造装置１によれば、水素発生装置２により水の一部を分解して水素ガスを発生させて微小気泡生成装置４０に供給させているので、水と水素ガスの供給ラインを別個にする必要がなく、水を原料として簡単容易に水素水を生成することができる。
【００３３】
尚、前記実施形態においては、筒体４１が円筒形状を呈するものを示したが、筒体４１は例えば角筒形状であってもよい。また、筒体４１の一端側に流入口４１ａを、他端側に流出口４１ｂを形成したものを示したが、例えば、蓋部材４５に孔を設けてこれを流入口としたり、底部材４６に孔を設けてこれを流出口とすることもでき、一端側から他端側へ被処理流体が流通する構成であれば筒体４１の形状等は任意である。
【００３４】
また、被処理流体が筒体４１内を上から下へ流通するものを示したが、被処理流体が下から上へ流通するものであってもよい。この場合、筒体４１の上部に過剰な水素ガスを排出する水素ガス放出管を形成しておけば、仮に全ての水素ガスが気泡とならなかった場合に、過剰な水素ガスを大気中に放出することができる。
【００３５】
また、前記実施形態においては、内側部材（ロータ４２）が回転するものを示したが、内側部材と外側部材が相対的に回転すれば、前記実施形態と同様の作用効果を得ることができる。すなわち、内側部材を固定して外側部材を回転させるようにしてもよいし、回転部からの駆動力を内側と外側に分配して、内側部材と外側部材の両方を回転させるようにしてもよい。また、前記実施形態においては、回転部としてモータ４４を示したが、ロータ４２を回転駆動するものであれば、ほかの駆動源を用いてもよいことは勿論である。
【００３６】
また、前記実施形態においては、ロータ４２とステータ４３の両方に凹凸部４２ｂ、４３ｂを形成したものを示したが、少なくとも回転する側のロータ４２又はステータ４３に凹凸部が形成されていれば被処理流体を膨張及び縮小させることができる。また、凹凸部に形成される周期的な凹部及び凸部は、全て同じ形状である必要はなく、例えば、大型の凹部及び凸部、小型の凹部及び凸部、表面傾斜のなだらかな凹部及び凸部、表面傾斜の急な凹部及び凸部が混在していてもよい。
【００３７】
また、前記実施形態においては、各凹凸部４２ｂ、４３ｂが上下に延びるものを示したが、各凹凸部４２ｂ、４３ｂの断面形状が上下にわたって同一である必要はなく、例えば、各凹凸部４２ｂ、４３ｂ間の隙間が上方から下方へ向かって狭くなるようにしたり、各凹凸部４２ｂ、４３ｂが上下でなく螺旋状に延びるようにしたりしてもよい。また、ロータ４２及びステータ４３に、上下に延びる各凹凸部４２ｂ、４３ｂが途切れる平坦部を形成してもよい。
【００３８】
また、前記実施形態においては、水素発生装置から水と水素ガスを供給するものを示したが、水と水素ガスの供給ラインを別個にしても、微小気泡生成装置４０にて水素水を製造することができる。さらに、気液混合被処理流体として、水と水素ガス以外の組合せの液体と気体を用いてもよい。例えば、水と酸素ガスの組合せで酸素水を製造することもできるし、水とオゾンの組合せでオゾン水を製造してもよく、液体と気体の組合せは任意である。どのような組合せであっても、数ヶ月以上にわたって気泡が浮遊し続けるナノバブル水とすることができる。
【００３９】
また、前記実施形態においては、排出水槽６０を設けたものを示したが、これは省略することができるし、その他、具体的な細部構造等についても適宜に変更可能であることは勿論である。
【符号の説明】
【００４０】
１ 水素水製造装置
２      水素発生装置
４０ 微小気泡生成装置
４１ 筒体
４２ ロータ
４２ａ 外周面
４２ｂ 凹凸部
４３ ステータ
４３ａ 内周面
４３ｂ 凹凸部
４４ モータ
４７ ファン
５０    流出管
６０    排出水槽
【図１】
0003150000.tif 000003
【図２】
0003150000.tif 000004
【図３】
0003150000.tif 000005
【図４】
0003150000.tif 000006
【図５】
0003150000.tif 000007
【図６】
0003150000.tif 000008
【図７】
0003150000.tif 000009
【図８】
0003150000.tif 000010